Podtech/llm-jp-corpus-v4-ja_patent huggingface dataset:
(57)【要約】【課題】  米をとぐ時水に手を濡らすことなくしっかり米をとげ、とぎ汁を捨てる時しっかり水が切れ、さらに米をこぼさない米とぎ器を提供する。【解決手段】  泡立て器（１）の（２）と（３）の部分の間を他の部分よりも間隔を多くとり、そこに網状のさじ（４）をつけ、泡立て器（１）の（２）と（３）の部分と網状のさじ（４）に縁止め（５）を取り付けたことを特徴とする。【選択図】  図１
2005034558.tif 000002
【特許請求の範囲】
【請求項１】
泡立て器（１）の（２）と（３）の部分の間を他の部分よりも間隔を多くとり、そこに網状のさじ（４）を付け、泡立て器（１）の（２）と（３）の部分と網状のさじ（４）に縁止め（５）を取り付けた米とぎ器。
【発明の詳細な説明】
【発明の詳細な説明】
【技術分野】
【０００１】この発明は、水に手を濡らすことなくしっかり米をとげ、とぎ汁を捨てる時米をこぼさずしっかり水を切れる米とぎ器に関するものである。
【背景技術】
【０００２】従来は、米は主に手でといでいた。
【発明が解決しようとする課題】
【０００３】これは、次のような欠点があった。
従来、米をとぐ時手でといでいたため、冬場などに冷たい水で米をとぐのは大変な労力を要し手あれの原因にもなり、またマニキュアなどをしている人はマニキュアが取れてしまうことがあった。さらに米とぎ汁を捨てる時、米をこぼしてしまうことがあった。
本発明は、以上のような欠点をなくすためになされたものである。
【課題を解決するための手段】
【０００４】泡立て器（１）の（２）と（３）の部分の間を他の部分よりも間隔を多くとり、そこに網状のさじ（４）を付け、泡立て器（１）の（２）と（３）の部分と網状のさじ（４）に縁止め（５）を取り付ける。本発明は、以上の構成によりなる米とぎ器である。
【発明を実施するための最良の形態】
【０００５】以下、本発明の実施の形態について説明する。
網状のさじ（４）が泡立て器（１）の（２）と（３）の部分の間に収まるように他の部分よりも間隔を多くとる。
泡立て器（１）の（２）と（３）の部分の間に細かい網目からなるさじ（４）を取り付ける。
泡立て器（１）の（２）と（３）の部分と網状のさじ（４）に縁止め（５）を取り付ける。
本発明は、以上のような構造でこれを使用する時は、米と水の入っている釜などに泡立て器（１）の攪拌部（６）の部分を使い攪拌し米をとぎ、そのとぎ汁を捨てる時、網状のさじ（４）の部分でこすことにより米をこぼすことなくしっかりと水を切れる。
【発明の効果】
【０００６】水に手を濡らすことなく米をしっかりとげる。
網状のさじ（４）があるので、とぎ汁を捨てる時水をしっかり切れ、さらに米をこぼさない。
【図面の簡単な説明】
【図１】本発明の分解斜視図である。
【図２】本発明の斜視図である。
【図３】本発明の上面図である。
【符号の説明】
１  泡立て器
２  支柱
３  支柱
４  網状のさじ
５  縁止め
６  攪拌部
【図１】
2005034558.tif 000003
【図２】
2005034558.tif 000004
【図３】
2005034558.tif 000005
(57)【要約】【課題】シザーケースの表面カバーの取り替えが出来る様にし、シザーケースの表面カバーを洋服のデザインに合わせたり、ファッショナブル感覚・デザインを楽しめる様にし、尚かつシザーケース内に落ちたカット髪の毛の掃除も簡単に出来る様にする。【解決手段】シザーケース本体１と表面カバー部分２との取り替え（取り外し）が出来る様に接続部分をチャック式とボタン式にする事により可能にした。【選択図】  図１
2005034555.tif 000002
【特許請求の範囲】
【請求項１】
シザーケースの表面カバーの取り替えが出来る様に接続部分をチャック式とボタン式にし、多彩なデザインの表面カバーの取り替えを可能にしたシザーケース。
【発明の詳細な説明】
【発明の詳細な説明】
【技術分野】
【０００１】本発明はシザーケースの表面カバーの取替えが出来る様に、接続部分をチャック式とボタン式にし、表面カバーのデザインや色彩を多彩にする事を可能にし、ファッショナブル感覚を楽しめる様にした。
【背景技術】
【０００２】従来は表面カバーの取り替えが出来るシザーケース（はさみ入れバック）はなかった。
【発明が解決しようとする課題】
【０００３】従来のシザーケースは単なるハサミ入れだけの機能しかなく、デザインや色彩も単調な物しかなく、洋服のデザインに合わせるといったファッショナブル感覚を楽しむ事が出来なかった。本発明はこの課題を解消する為になされたものである。
【課題を解決するための手段】
【０００４】シザーケース本体１と表面カバー部分２の取り付け部分をチャック式とボタン式にする事により、取り替えが出来る様にした。
【発明を実施するための最良の形態】
【０００５】以下、本発明の実施の形態について説明する。
（イ）．シザーケース本体１と表面カバー２の周囲に接続部分５又は接続部分６を縫いつける
（ロ）．（イ）のシザーケース１の接続部分５又は接続部分６と（イ）の表面カバー２の接続部分５又は接続部分６を接続する
【発明の効果】
【０００６】表面カバーの取り外し・取り替えが出来る様になった為、シザーケースの表面カバーを多彩な洋服のデザインに合わせたり、ファッショナブル感覚が楽しめる様になり、尚かつシザーケース内に落ちたカットした髪の毛の掃除も簡単に出来る様になった。
【図面の簡単な説明】
【図１】シザーケース本体１と、取り替えが出来る表面カバー部分２を示す平面図である
【図２】考案した取り替え出来るシザーケースの使用状況（装着）を示す平面図である
【符号の説明】
１．シザーケース本体
２．取り替え式表面カバー部分
３．ハサミ
４．ハサミ入れポケット
５．接続部分、ボタン式
６．接続部分、チャック式
【図１】
2005034555.tif 000003
【図２】
2005034555.tif 000004
(57)【要約】【課題】多種多様な食材のなかでも、比重の重い食材に浮力を持たせる形状に加工するのが課題と思われる。【解決手段】食材によっては、粉末に加工して液体と合わせペースト状にして型に入れて成型したり、加熱加工やフリーズドライ加工なども利用する。【選択図】              図２
2005034560.tif 000002
【特許請求の範囲】
【請求項１】
食材で作成した液体に浮く器
【発明の詳細な説明】
【技術分野】
【０００１】本発明は、卵を調理するための新手法である。
【背景技術】
【０００２】本発明と類似点のあると思われる考案
実用新案出願公告  平４−４６６６      実願  昭６１−１５４８０１
出願  昭６１（１９８６）１０月８日    公告  平４（１９９２）２月１２日
考案の名称    うき付きゆで器
【発明の開示】
【発明が解決しようとする課題】
【０００３】卵を味噌汁やスープの中に割り入れて加熱調理する時、沈んでしまうので鍋底にこびり付いたりするので、絶えず攪拌しなければならず、その際黄身が破れたり、白身が泡立ちスープを濁らせたりした。
【課題を解決するための手段】
【０００４】割り入れた卵が、ある程度まで加熱され凝固するまで味噌汁やスープに沈まず浮いた状態を保てば、鍋底にこびり付かず濁りも防げる。
【発明の効果】
【０００５】調理中に攪拌する手間や、鍋の洗浄の労力が軽減され、味噌汁やスープの濁りも無くなり、器も同時に食するので具材も増え、子供の好きな形状にしたり、栄養素を添加したりして、画期的な食品となる。
【発明を実施するための最良の形態】
【０００６】炭水化物や蒲鉾やゼラチン等の食品で、卵を浮かせる空気室や気泡を有した器を形成する。
【産業上の利用可能性】
【図面の簡単な説明】
【０００７】
【図１】平面図
【図２】断面図
【符号の説明】
【０００８】１．本体
２．空気室
【図１】
2005034560.tif 000003
【図２】
2005034560.tif 000004
(57)【要約】【課題】パーキンソン病患者にみられる歩行障害の中でも特に改善の難しいすくみ足に対して、杖に目印となる「ひも」「棒」をつけることが考えられてきたが、ひっかかったり、足にあたったりして、転倒の危険性が高かった。【解決手段】杖にレーザー発光器３をつける。投影された線状光を目印にすることで歩行の第一歩を可能とし、転倒の危険性を低下させる。【選択図】  図１
2005034568.tif 000002
【特許請求の範囲】
【請求項１】
線状光を投影するレーザー発光器をとりつけたことを特徴とする杖
【請求項２】
前記レーザー発光器は円盤にとりつけられ、杖の角度により投影光の位置が変化することを特徴とする請求項１記載の杖
【発明の詳細な説明】
【技術分野】
【０００１】この発明は、パーキンソン病患者の歩行障害に高頻度にみられる「すくみ足」状態を改善するための杖に関する。
【背景技術】
【０００２】歩行障害の患者に使われる杖に、「ひも」や「棒」がでるような仕組みをつけてすくみ足の最初の一歩のきっかけを作る工夫がなされたものがあった。
【発明の開示】
【発明が解決しようとする課題】
【０００３】しかしながら、以上の技術によれば、一歩を出した足に「ひも」や「棒」が当たり、転倒の危険性が生じていた。
【課題を解決するための手段】
【０００４】以上の課題を解決するために、目印を光（レーザーにより明るい場所でも識別可能）としたことを特徴とした杖である。
【発明の効果】
【０００５】杖の手にスイッチをつけ操作し、すくみ足の一歩を出す目印が出現することで、これを目標として転倒することなく第一歩が踏み出せ、歩行することが可能となる。
【発明を実施するための形態】
【０００６】この発明の一実施形態を、図１に示す。杖の本体１は、木材または金属性であり、本体１の下部に円盤２を軸を中心に振り子のように動く形でとりつける。その円盤には線状光を投影するレーザー発光器３を接着し、線状レーザー光が使用者の手前に出現するような角度で固定し、杖上部にスイッチをつけて、杖内部に電線電池を内臓させ、操作する。
この発明の一実施形態を、図１に示す。
「実施形態の効果」
【０００７】この実施形態によれば、スイッチ操作により円盤２が振り子となり、杖が不安定に傾いても使用者のやや前方に線状光が出現する。この線をまたぐように歩行すると、「すくみ足」状態が改善する。
「他の実施形態」
【０００８】図１の実施形態では、レーザー発光器の電池は杖に内臓される形態であるが、内臟されなくても良い。また、投影された線状レーザー光が使用者の足元に投影される形であれば、円盤とレーザー発光器を固定せず、角度の変える方法をとっても良い。
【図面の簡単な説明】
【０００９】
【図１】この発明の一実施形態を示す斜視図及びレーザー光の発射位置である。
【図２】この発明の一実施形態を示す横図である。
【図３】この発明の一実施形態を示す横図及び、レーザー発光器とスイッチ間の内部構造である。
【図４】この発明の円盤上のレーザー発光器とスリットである。
【図５】上方から見た使用者、杖、投影レーザー光の位置である。
【符号の説明】
【００１０】１  杖本体    ２  円板    ３  レーザー発光器    ４  レーザー発光器スイッチ
５  電線      ６  軸      ７  とって            ８  電池
９  レーザー発射口スリット
【図１】
2005034568.tif 000003
【図２】
2005034568.tif 000004
【図３】
2005034568.tif 000005
【図４】
2005034568.tif 000006
【図５】
2005034568.tif 000007
(57)【要約】【課題】  今までの脱臭・消臭剤は活性炭等を利用した製品があり、脱臭・消臭の効果は認められていたものの、脱臭・消臭剤の原料としての再生利用が出来ない、長期使用する事が出来ない、又雑菌の抑制効果の乏しい商品のみである。【解決手段】  玉石鉱石の表面を特殊加工する事により高い脱臭効果が得られると共に玉石の持つ遠赤外線放射率とマイナスイオン効果を有効活用する事で雑菌の抑制効果が得られ、脱臭・消臭効果と鮮度維持が期待される。又一度使用した玉石原料を高熱処理をする事で脱臭・消臭剤の原料として繰り返し再生利用が可能であり、この発明を有効利用することが環境に配慮した循環式の、ごみを出さない脱臭・消臭製品を提供する事になる。【特許請求の範囲】
【請求項１】
玉石鉱石（英文：ＮＥＰＨＲＩＴＥ、ＪＡＤＥ）の原石だけを原料として加工した脱臭・消臭剤と玉石鉱石を原料として、その他の副原料と混ぜ合わせて加工した脱臭・消臭剤。
【発明の詳細な説明】
【技術分野】
【０００１】  本発明は玉石鉱石の原石を原料とし脱臭・消臭効果を高める加工を施し、脱臭・消臭剤として活用が出来る。又、脱臭・消臭剤として使用した玉石原料を高熱処理をする事で再生して循環利用することを見出し、ごみにならない脱臭・消臭剤を開発した。
【背景技術】
【０００２】  従来の脱臭・消臭剤は脱臭・消臭効果は認められたものの脱臭・消臭するのみで、一度商品に使用した原料を再び脱臭・消臭剤の原料として再生利用する事が出来ず、雑菌の抑制効果もなかった。
【発明の開示】
【発明が解決しようとする課題】
【０００３】  従来は活性炭等を利用した一部の脱臭・消臭剤商品が有り、その使用期間は５ヶ月〜６ヶ月である。又、脱臭・消臭剤の原料として再生利用がされることも無く、雑菌の抑制が出来ないのが難点であり、効果を長期に維持する事、脱臭・消臭剤の原料として再生利用が出来る環境にやさしい商品が求められていた。
【課題を解決するための手段】
【０００４】  玉石鉱石の原石を２ミリ〜１０ミリ程度に粉砕し特殊加工をする事で、脱臭・消臭効果を引き出すことが出来る。又玉石鉱石は、グラフ１の遠赤外線放射強度とグラフ２の遠赤外線放射率に示すように遠赤外線放射率が非常に高い事、マイナスイオンを多く発生する事、この遠赤外線とマイナスイオンは雑菌を抑制する効果が知られており、よって本発明は脱臭・消臭効果と、雑菌を抑制する効果が得られる。又、玉石鉱石はＮＥＰＨＲＩＴＥ、ＪＡＤＥ等の名称で称され、原石はアメリカ、オーストラリア、カナダ、スペイン、大韓民国、中華人民共和国、朝鮮民主主義人民共和国、ニュージランド、モンゴル共和国等で採石される何れの玉石を用いてもその効果は得られる。
【発明の効果】
【０００５】  本発明は脱臭・消臭効果があると共にゴミを出さない環境に配慮した製品を安定供給することが可能になり、玉石の持つ高い遠赤外線放射率とマイナスイオン効果を利用し、雑菌を抑制する効果を生かす事が出来る。又脱臭・消臭効果の有効期間が長い事が特徴であり、回収して高熱処理をする事によって玉石鉱石は脱臭・消臭剤の原料としての再生利用が可能になり、結果ごみが発生しなくなる。
【発明を実施するための最良の形態】
【０００６】  本発明は、今までの脱臭・消臭剤と同じ使用方法であり、使用者から再生工場に循環流通させ、高熱処理を施すことによって、脱臭・消臭剤の原料として再生利用することが出来る。その循環頻度は未知数であるが、半永久と言っても良い。
【実施例】
【０００７】  以下、実施した実験に付いて述べる。【０００８】  発明者は、玉石鉱石の脱臭・消臭実験を３０家族に対し、現在使用している冷蔵庫に玉石鉱石の脱臭・消臭剤を３５０ｇ入れ実験を実施した。この実験で確認した項目は、▲１▼本発明品の脱臭・消臭効果の有無▲２▼本発明品の脱臭・消臭の有効期間▲３▼一度使用した原料を再生利用した場合、その脱臭・消臭効果の有無▲４▼従来使用していた市販の脱臭・消臭剤の脱臭・消臭効果等である。その結果を別表１、２、３、４、５と調査表１にまとめた。【０００９】
2005034569.tif 000002
2005034569.tif 000003
2005034569.tif 000004
2005034569.tif 000005
2005034569.tif 000006
2005034569.tif 000007
2005034569.tif 000008
2005034569.tif 000009
【００１０】  表１に示すように、新しい玉石原料を使用してその脱臭・消臭効果の確認をした結果、１年以上経っても脱臭・消臭効果が変わらない。【００１１】  表２に示すように、一度使用し再生利用した玉石原料を使用してその脱臭・消臭効果の確認をした結果、新原料と同じ脱臭・消臭効果が得られることが確認された。【００１２】  表３、表４に示すように、２度、３度脱臭・消臭剤として使用し再生利用した玉石原料を使用してその脱臭・消臭効果を確認した結果、新原料と同じ脱臭・消臭効果が得られることが確認された。【００１３】  玉石鉱石の脱臭・消臭効果を示した表１、表２、表３、表４と一般脱臭剤の脱臭・消臭効果を示した表５を比較すると、一般に比べ本発明品が脱臭・消臭効果が高いことと脱臭・消臭の効果期間が長いことが確認された。【００１４】  調査表１に示すように３０人の検査員にアンケート調査をした結果、本製品と市販されている一部の商品との比較検査においても、全員が本製品は脱臭・消臭効果があること、又脱臭・消臭の効果期間が長い事を認めた。よってこの発明品は長期の使用が可能であり、繰り返し再生利用が出来る事からごみを出さない事の証明になる。
【産業上の利用可能性】
【００１５】  空気、水等の脱臭・消臭、ろ過を目的とする、ろ過機部分に使用する事が考えられる。
(57)【要約】【目的】本発明の目的は、頭皮を刺激して血行を良くする事と育毛剤を毛根と皮膚の間の奥深くまで浸透させる為に頭部にパットを押し付けたり引き離したりする行為を容易に行えるグリップを備えた育毛用ヘッドパッターを提供することにある。【構成】グリップの先にパットを取り付けた育毛用ヘッドパッターを得た。【選択図】      図１
2005034563.tif 000002
【特許請求の範囲】
【請求項１】
頭皮に、パットを押し付けたり引き離したりする行為をし易くするグリップを有する育毛を促進する事を特徴とする育毛ヘッドパッターに関する。
【発明の詳細な説明】
【発明の詳細な説明】
【産業上の利用分野】
【０００１】本発明は、頭皮にパットを押し付けたり引き離したりする事で、頭皮を刺激して血行を良くすると同時に頭皮に育毛剤を塗布した後これを行えば、パットを押し付けた時毛根と皮膚の間が加圧されるため育毛剤が毛根と皮膚の間の奥深くまで浸透し、パットを引き離した時、毛根と皮膚の間が負圧になり毛根の周りの汚れが取り除かれたり負圧が大気圧に戻る時育毛剤が毛根と皮膚の間の奧深くまで浸透する。パットを押し付けたり引き離したりを繰り返す事で育毛剤の効果を増す事が出来る。パットを押し付けたり引き離したりし易くする為にパットにグリップを取り付け手で握り易くしたグリップを有する育毛用ヘッドパッターに関する。
【背景技術】
【０００２】従来、頭皮を部分的に叩くなどの刺激を与える物が有ったが、頭皮の血行を充分良くする事に満足出きるものがなかった。
【発明が解決しようとする課題】
【０００３】本発明の目的は、頭皮にパットを押し付けたり引き離したりする事で、頭皮を刺激して血行を良くし、吸引と加圧で育毛剤を毛根の奥深くまで浸透させる事が出きると思い、この行為を行い易くする為に手で握るグリップを有する育毛用ヘッドパッターを提供する事にある。
【課題を解決するための手段】
【０００４】本発明は、上記のような目的で、パットとグリップ部をくっ付ける構造の物を作り上げた。
【０００５】すなわち、グリップ部を手で握り頭皮にパットを押し付けたり引き離したりする行為をやり易くし頭皮を刺激して血行を良くし、育毛剤の毛根部への浸透を良くする事が出来た。
【実施例】
【０００６】実施例について図面を参照して説明すると頭皮に予め育毛剤を塗布しておき図１において、１のグリップを片手あるいは両手で握り、２のパットを頭皮に押し付ける。その後、２のパットを頭皮から引き離す。これを数回から数十回繰り返す。
【発明の効果】
【０００７】本発明は、パットを頭皮に押し付けたり引き離したりする事で、頭皮を刺激して血行を良くすると同時に、頭皮に育毛剤を塗布して行えば、育毛剤を毛根と皮膚の間の深くまで浸透させる事が出来きるので、頭皮の育毛を促進すると同時に脱毛症の改善に有効である。
【図面の簡単な説明】
【図１】育毛用ヘッドパッターの全体図である。
【符号の説明】
１  グリップ
２  パット
【図１】
2005034563.tif 000003
(57)【要約】【課題】  水泳後等の耳孔内に入った水分を、確実に取り除くことができる吸水紙付き綿棒を提供する。【解決手段】  綿棒の軸の一方の端部に綿塊部分の直径より細く、吸水性のある紙を捲着する。【選択図】  図１
2005034567.tif 000002
【特許請求の範囲】
【請求項１】
綿棒の軸の一方の端部に、吸水性のある紙を捲着してなる綿棒。
【発明の詳細な説明】
【発明の詳細な説明】
【技術分野】
【０００１】  本発明は、水泳後等の耳孔内に入った水分を、取り除くための、吸水紙付き綿棒に関するものである。
【背景技術】
【０００２】  従来より綿棒は、軸の両端に綿塊部を有し、耳掃除等様々な用途に使用されているが、本発明にて示すような、一端に吸水紙付の綿棒は存在しなかった。【０００３】
【特許文献１】  特開２００３−１９１６２号公報
【発明が解決しようとする課題】
【０００４】  一般的に使用されている従来の綿棒では、綿塊部の最大径が太すぎるため、水泳後等の耳孔内に入った水分を確実に取り除けなかった。その場合吸水性の良い紙にて、こよりを作りそれを用いれば、確実に水分を取り除けた。しかし、こよりは誰もが上手く作れるとはかぎらない。本発明は、これらの欠点を解決するために、なされたものである。
【課題を解決するための手段】
【０００５】  本発明は、一般的に使用されている綿棒の軸の一方の端部に、綿塊部分の直径より細く、吸水性の良い紙を捲着することにより、吸水効果を確実に発揮する、吸水紙付き綿棒である。
【発明を実施するための最良の形態】
【０００６】  以下、本発明の実施の形態について説明する。図において、１は通常綿棒に使用される軸で外径２ｍｍ全長７ｍｍ程度の寸法を有し、２は通常綿棒に使用される綿塊部分で最大径４〜５ｍｍ程度の寸法を有している。３は吸水性の良いやわらかく強い紙ティッシュペーパー等からなる吸水紙部にて、軸の一方の端部に捲着後の寸法は、図１においてＬ２に示す最大径は３ｍｍ程度、Ｌ１の長さは２０〜２５ｍｍ程度の寸法を有する。つまり幅２０〜２５ｍｍの吸水紙を最大径３ｍｍ程度に捲着するのである。吸水紙の根元部は糊で固着し、先端部はねじることにより、最大径３ｍｍより細くなり耳孔内奥へ届きやすくなる。
【発明の効果】
【０００７】  こよりを作る煩わしさがなくなり、水泳後等の耳孔内に入った水分を確実に除去でき、中耳炎、外耳炎等を防止できる。又反対側の従来の綿棒にて、耳掃除もできる。
【図面の簡単な説明】
【図１】    本発明の正面図
【図２】    本発明の断面図
【符号の説明】
１    軸
２    綿塊部
３    吸水紙部
Ｌ１  吸水紙部の長さ
Ｌ２  吸水紙部の最大径
【図１】
2005034567.tif 000003
【図２】
2005034567.tif 000004
(57)【要約】【課題】  物７の移動のたびに、転倒防止の設置の際には道具・部品等を必要とし、部品取り付けの為、相手側と物７に傷を付けたり、常に物７の上部に突っ張り棒で押さえる為に、歪みを生じる事にもなる。物７の下部にくさびを入れると、物７の水平・垂直を保つ事が出来ない。又、住居の柱・壁面・天井・床面等に、部品を取り付ける事は非常にためらう。従って、これらを解決する事である。【解決手段】  揺れがあった時にのみ、アーム１が働くようにする。アーム１を押し込む事によって、フック３に引っかかる事により、再セットする事が出来る。安定度をよりいっそう必要とする時は、複数個取り付ける。又は、アーム１を長い物にする。物７全体が移動の場合も、物７に、この転倒防止アームが付いている為に、転倒防止に付いての設置は、必要でなくなる。【選択図】      図３
2005034583.tif 000002
【特許請求の範囲】
【請求項１】
揺れが生じたとき、揺れを感知する感知部・オモリ５が揺れ、支点部・支点６を支点として、固定装置部・フック３が揺れることによって、飛び出し部・アーム１の固定装置部・フック３との結合部分が外れ、押し出し部・押し出しバネ２の力によって飛び出し部・アーム１が飛び出し、転倒を防止する装置。
【請求項２】
飛び出し部・アーム１を元に戻すことにより、復元装置部・釣り合いバネ４により、固定装置部・フック３は元の状態の為、固定装置部・フック３を押し上げ、飛び出し部・アーム１の一端にある穴に入り、再セットが可能である装置。
【発明の詳細な説明】
【発明の詳細な説明】
【技術分野】
【０００１】    本発明は、家庭内のタンス・書棚・冷蔵庫等、胴長の物に揺れを生じた時、感知部・オモリ５が揺れを生じ、固定装置部・フック３が外れ、押し出し部・押し出しバネ２により、飛び出し部・アーム１が瞬時に飛び出し、転倒を防止する装置である。又、飛び出し部・アーム１を戻す事によって、再セットが可能である装置である。
【背景技術】
【０００２】    転倒防止の為に、突っ張り棒・金具・くさび状の物などで、常時設置し、転倒を防止する方法である。
【発明が解決しょうとする課題】
【０００３】家庭内で胴長の家具の転倒防止に、揺れが生じた時にのみ、働く何らかの転倒防止器を装置し、転倒を防止する。
【課題を解決しょうとする手段】
【０００４】    家庭内の胴長家具が揺れを生じた時、瞬時に転倒を防止するようにし、又、家具の背面は壁面である為に、前面のみに工夫を凝らす事によって、安定度を増加する方法である。
【発明を実施するための最良の形態】
【０００５】    本発明は、物７の下部に装着し、支点６は物７に取り付けられている為に、物７の揺れと同時に、支点６も揺れ、支点６からオモリ５に揺れを伝達し、オモリ５が揺れ、その揺れを支点６を中心にフック３に伝達し、ある限度以上の動きによって、フック３が外れ、押し出しバネ２により瞬時にアーム１が物７の面より前面に出る為に、安定度が増加することにより、転倒を防止するものである。又、アーム１とフック３が外れた後、釣り合いバネ４の為に、フック３の部分のみが元の状態に戻る。その為に、アーム１を再度、中に押し込むことによって、フック３が上に押し上げられて、アーム１の終端部の穴部分に到達した時、釣り合いバネ４の力によりフック３がアーム１の終端部の穴の部分に入り、アーム１の押さえる力を止めるとバネ２の力によって、再セットする。
【実施例】
【０００６】    見栄を良くする為に、この転倒防止装置を家庭内のタンス・書棚・冷蔵庫等の下部に取り付け、下部の前板部分にアーム１をＴ字状に付け、見栄を良くする事によって、この転倒防止アーム１が隠れた存在になる為、通常の状態では、物７の外見上の美観をそこなう事はない。
【発明の効果】
【０００７】    揺れを感知し、アーム１が前面に出る事によって、物７の底面積が実質的に増加し安定度が増加する事によって、転倒を防止する。又、普段アーム１は物７の中に入っている為に、物７の美観を保ちつつ、部屋の美観も保たれ、家庭内の掃除、物７の移動の場合も、何の支障もない。
【図面の簡単な説明】
【図１】正面図で、背後は壁面である。
【図２】側面図で、アーム１が作動した状態である。
【図３】正面図Ａ−Ｂの断面図で、アーム１を収納した状態である。
【図４】正面図Ａ−Ｂの断面図で、アーム１が作動した状態である。
【符号の説明】
１      アーム
２      押し出しバネ
３      フック
４      釣り合いバネ
５      オモリ
６      支点
７      物
８      壁面
９      床面
【図１】
2005034583.tif 000003
【図２】
2005034583.tif 000004
【図３】
2005034583.tif 000005
【図４】
2005034583.tif 000006
(57)【要約】【課題】  パチスロのドラム式表示器に描かれた特定の図柄のみを、ドラム回転中に読取るのは、非常に困難である。【解決手段】  ドラム式表示器内部に配置されている電球より発光している光量が、ドラム式表示器の図柄を透過することにより変化している。  その変化量を検出することにより特定の図柄を選択することが出来る。【選択図】図１
2005034584.tif 000002
【特許請求の範囲】
【請求項１】
ドラムに描かれた特定の図柄を選択することが出来る事を特徴とするパチスロ遊戯補助機器。
【請求項２】
パチスロ遊技機のドラム式表示器内部に配置されている電球より発光している光が、ドラムに描かれた図柄を透過することにより変化している光変化を、検出することが出来る。
特定の図柄を発光ダイオード及び、圧電振動板の光や音で遊戯者に知らせることを特徴とする請求項１記載のパチスロ遊戯補助機器。
【発明の詳細な説明】
【発明の詳細な説明】
【技術分野】
【０００１】  この発明は、パチスロ遊戯機のドラム内部に配置されている電球より発光している光が、ドラムに描かれた図柄により変化している光の検出に関する。
【背景技術】
【０００２】  従来のパチスロは、回転するドラムに描かれた図柄を静止状態で視認するためには、ストロボスコープと呼ばれる装置で断続的な光を照射することにより実現できる。
遊戯者はストロボスコープで光を照射した瞬間、図柄を静止状態でとらえることが出来る。
また、そのような装置を使わずとも動体視力を養う訓練をすることにより視認することが出来る。
【発明が解決しようとする課題】
【０００３】  しかしながら、以上の従来技術によれば、パチスロのドラム式表示器に描がれた特定の図柄のみを、ドラム回転中に読み取るのは非常に困難である。
そこで、この発明は、動体視力の弱い人でも容易にＢＩＧ  ＣＨＡＮＣＥ発生時に大当たり図柄の停止を提供することを課題とする。
【課題を解決するための手段】
【０００４】  以上の課題を解決するために、請求項１の発明は、特定の図柄を選択することが出来る事を目的としたパチスロ遊戯補助機器である。
また、請求項２の発明は、パチスロ遊戯者に、特定の図柄を発光ダイオード点滅表示穴３及び、圧電振動板５の光や音で遊戯者に知らせる事を、目的としたパチスロ遊戯補助機器である。
【発明を実施するための最良の形態】
【０００５】  この発明の一実施形態を、図１に示す。
ｐｉｔａ  ７本体１は、プラスチック製であり、この本体１の裏面には、光を受光するフォトトランジスタの受光口３、本体１の内部には制御プリント基板２が配されており、その制御プリント基板２の裏面に圧電振動板５が配されている。
本体１の表面には、発光ダイオード点滅表示穴４が、設けられている。
本体１の底面には、ストラップ取付板・電源ＳＷ兼用ピン６が設けられており、ストラップ取付板・電源ＳＷ兼用ピン６を引き抜くと制御プリント基板２の電源が入る。
また、ストラップ取付板・電源ＳＷ兼用ピン６に取付けられている携帯ストラップ７を携帯電話に取付けることにより本体１を紛失せずに済む。
「実施形態の効果」【０００６】  この実施形態によれば、ドラムが回転中に特定の図柄を光と音で遊戯者に知らせるため、遊戯者が光と音でリズムを取りながらパチスロ機のＳＴＯＰボタンを押すことが出来る。
「他の実施形態」【０００７】  図１の実施形態では、光と音で遊戯者に知らせるが、圧電振動板５をイヤホーンに変えても良い。
【発明の効果】
【０００８】  以上説明したように、この発明によれば、パチスロで動体視力の弱い人でも、特別な訓練を要さずに熟練者と同等の技量で遊戯することが出来る。
【０００９】  また、本器を使用することにより、ドラム式表示器の特定図柄を選択することが出来る。
【図面の簡単な説明】
【図１】  この発明の一実施形態を示す斜視図である・
【図符号の説明】
１  ｐｉｔａ  ７本体                ２  制御プリント基板
３  受光口                          ４  発光ダイオード点滅表示穴
５  圧電振動板                      ６  ストラップ取付板・電源ＳＷ兼用ピン
７  携帯ストラップ
【図１】
2005034584.tif 000003
(57)【要約】【課題】  本発明は、傘袋を収納保管する傘袋用小物入れを設けた傘である。  通常は傘には傘袋の特定の保管場所が無く、紛失等が発生するため、傘袋の収納保管ができる傘袋用小物入れ付傘を提供する。【解決手段】  傘の傘地（傘の張り布）１の内側に傘袋用小物入れ１１を設ける。  開口部にはファスナー９及びファスナー保護カバー１０を設ける。傘袋４は傘袋側連結紐５、傘袋側リング６、傘袋用小物入れ側リング７、傘袋用小物入れ側連結紐８にて傘袋用小物入れ１１に固定される。【選択図】  図３
2005034588.tif 000002
【特許請求の範囲】
【請求項１】
傘袋４を収納保管する傘袋用小物入れ１１を傘の傘地（傘の張り布）１に設けた傘袋小物入れ付傘。
【請求項２】
傘袋４が傘袋側連結紐５、傘袋側リング６、傘袋用小物入れ側リング７、傘袋用小物入れ側連結紐８で、傘袋用小物入れ１１に接続され、傘袋側リング６、傘袋用小物入れ側リング７部分で傘袋４が着脱自由に設けられている請求項１記載の傘袋用小物入れ付傘。
【発明の詳細な説明】
【発明の詳細な説明】
【技術分野】
【０００１】  この発明は、傘使用時に不要となる傘袋を収容保管するための傘袋用小物入れを設けた傘に関するものである。
【背景技術】
【０００２】  従来、傘使用時に不要となる傘袋は、その収納保管場所が傘本体には特定されていなかった。収納保管場所が特定されていないため、通常は傘使者の着衣等に一時的に傘本体から切り離されて収納保管されていた。
【発明が解決しようとする課題】
【０００３】  傘袋を使用する時次のような問題点があった。傘本体と別々に収納保管された傘袋は次に使用する場合、その収納保管場所が不明であったり、小物である傘袋が紛失していることがあった。
本発明は、以上の問題点を解決し傘袋の収納保管をできるようになされたものである。
【課題を解決する手段】
【０００４】  傘の布地（傘の張り布）１の内側に傘袋用小物入１１れを設ける。開口部にはファスナー９及びファスナー保護カバー１０を設ける。傘袋４は傘袋側連結紐５、傘袋側リング６、傘袋用小物入れ側リング７、傘袋用小物入れ側連結紐８にて傘袋用小物入れ１１に固定される。本発明は以上の構成よりなる傘袋の収納保管ができる傘袋用小物入れ付傘である。
【発明を実施するための最良の形態】
【０００５】  以下、本発明の実施の形態を説明する。
（イ）傘の傘地（傘の張り布）１の内側、石突２付近の傘骨３を避けた位置へ、傘袋用小物入れ１１を開口部が傘の傘地（傘の張り布）１の外側になる様に設ける。
（ロ）開口部には開閉用ファスナー９及びファスナー保護カバー１０を設ける。
（ハ）傘袋用小物入れ１１に接続された傘袋用小物入れ側連結紐８と傘袋用小物入れ側リング７を傘袋４に接続された傘袋側連結紐５と傘袋側リング６へ、傘袋側リング６と傘袋用小物入れ側リング７部分で連結する。傘袋側リング６と傘袋用小物入れ側リング７は着脱自由に設ける。
本発明は以上の構成よりなる。
本発明を使用する場合は、傘袋４未使用時には傘袋４を圧縮し、傘袋側連結紐５、傘袋側リング６、傘袋用小物入れ側リング７、傘袋用小物入れ側連結紐８とともに、傘袋用小物入れ１１に収納し、ファスナー９を閉めて、収納保管する。傘袋４を使用する時は、ファスナー９を開け傘袋４の傘袋側連結紐５、傘袋側リング６、傘袋用小物入れ側リング７、傘袋用小物入れ側連結紐８を傘袋用小物入れ１１より取り出し、傘袋４を石突２に挿入し、把手１２方向へ向けて傘袋４をスライド展開させて装着する。
【発明の効果】
【０００６】  本発明を使用すると、傘袋の紛失が防止される。雨天時にも傘袋を確実に濡れた傘へ装着でき、電車、バス等の混雑する場所でも、濡れた傘で他人に迷惑をかけることが防止される。又、リング部分において傘袋が着脱自由であることから、異なる傘袋を好みに応じて取替えすることが可能となり、ファッション性も向上する。
【図面の簡単な説明】
【図１】傘展開時の内側の斜視図
【図２】傘展開時の外側の斜視図
【図３】本発明の要部拡大の斜視図
【図４】傘袋装着状況を示す斜視図
【図５】傘袋装着完了状況を示す斜視図
【符号の説明】
１傘の傘地（傘の張り布）
２石突
３傘骨
４傘袋
５傘袋側連結紐
６傘袋側リング
７傘袋用小物入れ側リング
８傘袋用小物入れ側連結紐
９ファスナー
１０ファスナー保護カバー
１１傘袋用小物入れ
１２把手
【図１】
2005034588.tif 000003
【図２】
2005034588.tif 000004
【図３】
2005034588.tif 000005
【図４】
2005034588.tif 000006
【図５】
2005034588.tif 000007
(57)【要約】【目的】  本発明は、介護者に大きな負担をかけることなく小量のお湯と簡易な装置を使用して椅子に座った身障者の腰部を入浴させることを目的としている。【構成】  このため、座浴用椅子は座部と背もたれ部と足載せ部及び前記各部を支持する座浴用椅子の脚部と車輪により形成し、浴槽部は浴槽と浴槽支持部により形成する。脚載せ部は上下に移動し所定位置に固定可能に形成し、座部と椅子の脚部間には間隙を設け、椅子の前脚部間には横梁を形成する。更に浴槽部の浴槽は浴槽支持部の所定位置に固定可能に形成している。【選択図】            図１
2005034581.tif 000002
【特許請求の範囲】
【請求項１】
座浴用椅子と浴槽部により形成した座浴装置において、座浴用椅子は座部と背もたれ部と足載せ部及び前記各部を支持する座浴用椅子の脚部と車輪により形成し、浴槽部は浴槽と浴槽支持部により形成する。脚載せ部は上下に移動し所定位置に固定可能に形成し、座部と椅子の脚部間には間隙を設け、椅子の前脚部間には横梁を形成する。更に浴槽部の浴槽は浴槽支持部の所定位置に固定可能に形成したことを特徴とする座浴装置
【発明の詳細な説明】
【発明の詳細な説明】
【産業上の利用分野】
【０００１】この発明は、座浴椅子を使用して身障者の腰部を入浴可能にする座浴装置に関するものである。
【背景技術】
【０００２】一般に、体の不自由な身障者や高齢者の入浴は、人手を必要とし介護者にとっても重労働となるため毎日入浴させることは困難な状況にある。
介護者に負担をかけずに身障者が椅子に座ったままで入浴できる方法としては、浴槽が組み込まれた車椅子や車椅子の一部を浴槽に入れる方法などが考案されているが、この方法のいずれも身障者の体全体を入浴させるための装置であり、結果として装置が大掛かりとなったり車椅子自体の強度や安全性に無理が生じる欠点があって現実的ではなかった。【０００３】このため、日常は局部的に体を洗ったり拭いたりして清潔さを保っているのが実情である。
局部的な入浴については、座浴椅子を使用して座席の下に洗面器等を設けお湯をかけながら洗う方法があるが、入浴の持つ体を温めたりお湯の中で洗うという実感がなかった。
【発明が解決しようとする課題】
【０００４】介護者に肉体的及び金銭的に大きな負担をかけることなく、身障者にとって一番清潔にしておきたい腰部だけでも入浴させることができれば、かなり快適な毎日を過ごすことが可能と思われる。
【課題を解決するための手段】
【０００５】上述した課題を解決するために、座浴用椅子と浴槽部により形成した座浴装置において、座浴用椅子は座部と背もたれ部と足載せ部及び前記各部を支持する座浴用椅子の脚部と車輪により形成し、浴槽部は浴槽と浴槽支持部により形成する。脚載せ部は上下に移動し所定位置に固定可能に形成し、座部と椅子の脚部間には間隙を設け、椅子の前脚部間には横梁を形成する。更に浴槽部の浴槽は浴槽支持部の所定位置に固定可能に形成したことを特徴としている。
【作用】
【０００６】上述のように発明したことにより、大量のお湯や大掛かりな設備を使わずに簡易な装置で、尚且つ介護者に大きな肉体的金銭的負担をかけることなく身障者が椅子に座ったままで腰部を入浴させることができる。
【実施例】
【０００７】以下図面に沿って本発明の実施例を説明する。【０００８】図１から図４に本発明の実施例を示す。図１は座浴装置を示し１が座浴用椅子、２は浴槽部である。【０００９】座浴用椅子１を図２に示す。
座浴用椅子１は身障者等を座らせる座部３と背もたれ部４、足載せ部５と足載せ固定部６及び前記各部を支持する椅子の脚部７と脚を補強する横梁８、車輪９により形成される。
足載せ部５は上下に移動し固定部６で固定可能になっている。又、座部３と椅子の脚部７間には、図２に示すごとく所定の間隙１４を設けてある。【００１０】浴槽部２を図３に示す。
浴槽部２は浴槽１０と浴槽支持部１１より形成され、通常は浴槽１０は浴槽支持部１１内に収まった状態になっている。又、この実施例の場合、浴槽１０は浴槽支持部１１の軸１２を中心として回転可能になっており、浴槽支持部１１には所定の位置で浴槽１０を固定できる浴槽固定部１３が設けられている。【００１１】次に作用について説明する。
まず身障者を座浴用椅子１に着座させる。身障者の片足を持ち上げた状態で足載せ部６を上方に所定の位置まで移動させ、足載せ固定部６で固定する。同じようにしてもう一方の足載せ部５を上方に移動させ固定する。【００１２】次に、浴槽部２は浴槽１０が浴槽支持部１１内に収まった状態にして、座浴用椅子１の後ろから浴槽部２を所定位置に押し込む。浴槽１０を浴槽支持部１１の軸１２を中心としてほぼ水平状態まで回転させて浴槽固定部１３で固定する。（図４参照）
図４の状態で、ポンプなどで浴槽にお湯を入れることにより座浴する者の腰部を入浴させることができる。【００１３】入浴後は、浴槽１０のお湯をポンプで汲み出すか浴槽支持部１１等に逃がしたあと浴槽固定部１３の固定を解除し、浴槽１０を浴槽支持部１１内に収める。座浴用椅子１を前方に移動させて浴槽部２から押し出したら、前述と逆の要領で足載せ部５を所定の位置に戻す。【００１４】以上により、小量のお湯と簡易な装置で、介護者に大きな負担をかけることもなく身障者が椅子に座ったままで腰部を入浴させることができる。
【発明の効果】
【００１５】身障者を椅子に座ったままで入浴させるには、足から腰まで又は体全体を浴槽に入れる方法が考えられる。しかしこの場合、椅子の足載せ部を含めて浴槽に入れることが必要になり椅子の前脚を補強するための横梁が設置できない。このため強度や安全性の確保が困難になり、体全体を入浴させるための多量のお湯も必要となるため装置も大掛かりにならざるを得ない。
【００１６】この発明によれば、座浴用椅子は座部と背もたれ部と足載せ部及び前記各部を支持する座浴用椅子の脚部と車輪により形成し、浴槽部は浴槽と浴槽支持部により形成する。脚載せ部は上下に移動し所定位置に固定可能に形成し、座部と椅子の脚部間には間隙を設け、椅子の前脚部間には横梁を形成する。更に浴槽部の浴槽は浴槽支持部の所定位置に固定可能に形成したことにより、介護者や身障者に大きな負担をかけることもなく、強度や安全性も確保された安価な座浴装置を提供することができる。
【図面の簡単な説明】
【００１７】
【図１】この発明の実施例を示す座浴装置の斜視図である。
【図２】座浴用椅子の斜視図である。
【図３】浴槽が浴槽支持部内に収まった状態（実線）と水平状態（２点鎖線）を示す浴槽部の斜視図である。
【図４】座浴装置の使用状態を示す正面図である。
【符号の説明】
【００１８】  １  座浴用椅子
２  浴槽部
３  座部
４  背もたれ部
５  足載せ部
６  足載せ固定部
７  椅子の脚部
８  横梁
９  車輪
１０  浴槽
１１  浴槽支持部
１２  軸
１３  浴槽固定部
１４  間隙
【図１】
2005034581.tif 000003
【図２】
2005034581.tif 000004
【図３】
2005034581.tif 000005
【図４】
2005034581.tif 000006
(57)【要約】【課題】本発明は、外形寸法を変えることなく、回路遮断器２の操作ハンドル３をロックできるハンドルロックの構造を提供することを目的としている。【解決手段】本発明に係るハンドルロックの構造は、ロック部１ａとレバー部１ｂとから成るハンドルロック部品１を回路遮断器２の操作ハンドル３近傍に内蔵し、ハンドルロック部品１を動作することにより操作ハンドル３をロック部１ａがＯＮの位置で係止し、ハンドルロックを施すことを特徴とする。【選択図】図３
2005158626.tif 000002
【特許請求の範囲】
【請求項１】
操作ハンドルの動作を規制して回路遮断を行わないハンドルロックの構造であって、ハンドルロック部品は前記回路遮断器の操作ハンドル近傍に内蔵し、前記操作ハンドルが前記ハンドルロック部品によりＯＮの位置で係止されるように前記ハンドルロックを施すことを特徴とするハンドルロックの構造。
【請求項２】
前記ハンドルロックの構造において、該ハンドルロックのレバー部には封印穴を設け、前記操作ハンドルをロックした状態で前記封印穴と共にに封印線を挿通する封印フックを設け、前記ハンドルロック封印可能であることを特徴とするハンドルロックの構造。
【発明の詳細な説明】
【技術分野】
【０００１】
本発明は、操作ハンドルの動作を規制して回路遮断を行わないハンドルロックの構造に関するものである。
【背景技術】
【０００２】
回路遮断器２１のハンドルロック２２は、回路遮断器２１とは別部品で形成され、例えば、略Ｔ字状にロック部２２ａと係止部２２ｂとを形成していた。回路遮断器２１の操作ハンドル２３の側面からロック部２２ａを差し込んで、係止部２２Ｂを回路遮断器２１の側面に係止させ、回路遮断器２１の操作ハンドル２３がＯＮの状態の時に、操作ハンドル２３の動作を規制するように操作ハンドル２３をロック部２２ａに係止させていた。
【非特許文献１】カワムラ カタログ 電設資材編 ＮＯ．３４ 平成１５年５月１日改訂
【発明の開示】
【発明が解決しようとする課題】
【０００３】
ハンドルロック２２が回路遮断器２１の外付けである別部品であるため、部品管理が煩雑なものとなっていた。また、ハンドルロック２２を回路遮断器２１に取り付けたとき、ハンドルロック２２の分だけ、回路遮断器２１の外形寸法が大きくなってしまうため、分電盤に組み込むときには、都度ハンドルロック２２を考慮に入れ設計する必要があり、手間がかかっていた。
【課題を解決するための手段】
【０００４】
本発明は、外形寸法を変えることなく、回路遮断器の操作ハンドルをロックできるハンドルロックの構造を提供することを目的とし、その構造は、ハンドルロック部品を回路遮断器の操作ハンドル近傍に内蔵し、操作ハンドルがハンドルロック部品によりＯＮの位置で係止されるようにハンドルロックを施すことを特徴とする。
【発明の効果】
【０００５】
本発明に係るハンドルロックは、ハンドルロックを回路遮断器に内蔵し、回路遮断器の外形寸法を変化させずにハンドルロックすることができるため、ハンドルロックが必要かどうかによって設計し直すというような手間を省くことができる。ハンドルロックの部品管理も不要となり部品管理の煩雑さから解放される。
【０００６】
また、本発明の請求項2に係るハンドルロックは封印可能な構造であるため、主幹ブレーカのハンドルロックにも適用できる。
【発明を実施するための最良の形態】
【０００７】
回路遮断器にハンドルロックを施すという目的を、簡単な構造で回路遮断器の外形寸法を変化させることなく実現した。
【実施例１】
【０００８】
本発明に係るハンドルロックの構造を図１〜図３の添付図面に基づいて説明する。
【０００９】
ハンドルロック部品１はロック部１ａにレバー部１ｂを突出させた形状である。回路遮断器２の操作ハンドル３の近傍にスライド穴４を設け、このスライド穴４からレバー部１ｂを突出させてスライド移動可能に、ハンドルロック部品１を回路遮断器２に内蔵する。
【００１０】
ハンドルロック部品１は、回路遮断器２の操作ハンドル３の近傍に取り付けられ、通常の使用状態の時には、ハンドルロック部品１は回路遮断器２の内部に収められ、ロック時には、ハンドルロック部品１をスライド移動させ、ロック部１ａに操作ハンドル３を係止させるようにして、ロック部１ａが操作ハンドル３の動作を規制し、操作ハンドル３がＯＦＦの状態にならないようにすることで、ハンドルロックを施すものである。
【００１１】
従来のハンドルロックのように、回路遮断器の外側から差し込むものと違い、ハンドルロックをする場合、しない場合どちらも回路遮断器の外形寸法が変化することがなく、回路遮断器２を並列する場合にも、回路遮断器２の側面全面を接合することができる。また、部品の追加がなく、作業性もよい。
【００１２】
回路遮断器２に設けられたスライド穴４近傍には封印穴５を有する封印フック６を形成する。ハンドルロックした時に封印フック６にハンドルロック部品１のレバー部１ｂを接近させ、レバー部１ｂと封印フック６の封印穴５とに封印線７を挿通し外れないように封印し、封印した後は、誤ってハンドルロックが動いて回路遮断器２が作動することがないようにできる。
【産業上の利用可能性】
【００１３】
回路遮断器をハンドルロックする場合、内蔵されているハンドルロックを動かすだけでよく、小さい箱体に回路遮断器を組み込んで構成された分電盤等で作業性を向上することができる。
【図面の簡単な説明】
【００１４】
【図１】回路遮断器のハンドルロックを示した説明図である。（実施例１）
【図２】回路遮断器の通常の状態を示した上面図である。（実施例１）
【図３】回路遮断器のハンドルロックした状態を示した上面図である。（実施例１）
【図４】回路遮断器の封印をした状態を示した側面図である。（実施例２）
【図５】従来の回路遮断器のハンドルロックの構造を示す側面図である。
【符号の説明】
【００１５】
１      ハンドルロック部品
１ａ    ロック部
１ｂ    レバー部
２      回路遮断器
３      操作ハンドル
４      スライド穴
５      封印穴
６      封印フック
７      封印線
【図１】
2005158626.tif 000003
【図２】
2005158626.tif 000004
【図３】
2005158626.tif 000005
【図４】
2005158626.tif 000006
【図５】
2005158626.tif 000007